(57)【要約】本発明は内容物の詰め替えが可能な紙管容器に関するもので、本発明による内容物の詰め替えが可能な紙管容器は、紙材質の胴体にポンピング部材が着脱可能に結合され、ポンピング部材の下部にパウチの取替えが可能に結合部を形成することによって、簡単な構造を通じてパウチの固定及び取替えが可能になって、製造費用の節減及び製造時間を短縮させることができることが特徴である。【選択図】図面
2014523378.tif 000002
【特許請求の範囲】
【請求項１】
内部に内容物が収容されるように空間が形成される紙材質の紙管胴体（１００）と；
前記紙管胴体（１００）の上部を囲んで紙管胴体（１００）から着脱可能に前記紙管胴体（１００）の上端に安着される結合溝（１１０）が形成され、その下部には螺糸山（２２１）が形成された結合部（２２０）が備えられ、使用者の加圧によるポンピング作用を通じて内容物を外部に排出させるポンピング部材（２００）と；
内容物が収容され、内容物の消尽時に取替え可能に前記結合部（２２０）に着脱されるパウチ部（３００）と；
前記紙管胴体（１００）の上部で前記ポンピング部材（２００）を囲んで結合される紙材質の紙管キャップ（４００）と；を含むことを特徴とする内容物の詰め替えが可能な紙管容器。
【請求項２】
前記パウチ部（３００）は、
内容物が収容されるパウチ（３１０）と、
前記パウチ（３１０）を支持するもので、中央部には内容物の充填が可能に開口部（３２１）が形成され、外周面には前記結合部（２２０）にねじ結合されるように螺糸山（３２２）が形成される固定部（３２０）と、
前記固定部（３２０）の上端で前記開口部（３２１）に結合され、内容物の充填が可能に中空（３３１）が形成される加圧部（３３０）とを含むことを特徴とする請求項１に記載の内容物の詰め替えが可能な紙管容器。
【請求項３】
前記パウチ（３１０）の上部は前記固定部（３２０）の上端に安着されて、前記加圧部（３３０）の加圧によって固定されることを特徴とする請求項２に記載の内容物の詰め替えが可能な紙管容器。
【請求項４】
前記固定部（３２０）の上端には前記パウチ（３１０）が脱離されることを防止するように固定段差（３２３）が形成され、前記加圧部（３３０）には前記パウチ（３１０）を加圧して固定させる加圧突起（３３２）が形成されることを特徴とする請求項２に記載の内容物の詰め替えが可能な紙管容器。
【発明の詳細な説明】
【技術分野】
【０００１】
本発明は内容物の詰め替えが可能な紙管容器に関するもので、より詳しくは、紙材質の胴体にポンピング部材が着脱可能に結合され、ポンピング部材の下部にパウチの取替えが可能に結合部を形成することによって、簡単な構造を通じてパウチの固定及び取替えが可能になって、製造費用の節減及び製造時間を短縮させることができる内容物の詰め替えが可能な紙管容器に関する。
【背景技術】
【０００２】
一般に、シャンプー、リンス、化粧品などは、各内容物が容器に収容された状態で使用者に販売され、使い捨て使用できるようにパウチ形態に廉価で販売されている。
【０００３】
使用者は製品を購買する際に、費用を節約するために、パウチ形態の製品をシャンプー、リンス、化粧品などの各容器に絞り出して充填することによって、内容物を詰め替えて使用し、パウチをカッティングして、それぞれを絞り出して充填しなければならないため、使用者に不便を与えているのが実情である。
【０００４】
このような問題点を解消するために、韓国登録実用新案第２０−０２８２７５６号「詰め替え用化粧品容器」（以下、「韓国登録実用新案」という）が開示されている。
【０００５】
上記韓国登録実用新案は、内容物が充填される容器胴体と、上記容器胴体に螺糸式で結合される蓋とからなる通常の化粧品容器において、管形態で、上部には内容器２０の開口部２２が嵌め込まれて突出される孔１１が形成され、外側から内側に段差が形成された下端部の外周面には仕上げ部材３０がねじ結合されることができるように、螺糸山１２が形成され、螺糸山が形成された下部には内容器２０の下部の外周面の両方に形成された突部２３が挿入される溝１３が切欠されている外容器１０と；上記外容器１０の内径と相応する直径を有するとともに、内部長さと相応する長さを有する内容物収納部本体２１を有し、内容物収納部本体２１の外周面の下部に外容器１０の下部に形成された溝１３に挟まれる突部２３が両方に形成され、上部には外容器１０の孔１１に嵌め込まれて突出されるとともに、キャップ４０がねじ結合される開口部２２が形成されている内容器２０と；上記内容器２０が詰め替えられた外容器１０の下部に形成された螺糸山１２にねじ締結されて、外容器１０に詰め替えられた内容器２０を固定させる仕上げ部材３０とで構成されることが特徴である。
【０００６】
上記韓国登録実用新案は、内容物が収容される内容器２０を取り替えて用いることができるようにその構造を設計したもので、外容器１０と内容器２０とを固定するために、それぞれの容器に溝１３及び突部２３を形成し、外容器１０の下端に形成された螺糸山１２に仕上げ部材３０を結合するなど、その構造が複雑で、製造費用及び時間がたくさんかかるという問題点があった。
【０００７】
上記のような問題点を解消するために、本出願人が２００９年７月３１日付けに出願した韓国公開特許第１０−２０１１−００１２７８１号（以下、「韓国公開特許」という）が開示されている
上記韓国公開特許は、内部に内容物が収容されるように空間が形成される紙管胴体と；上記紙管胴体の内側上部に結合され、上部外周面に沿って突出部が形成される固定部と；上記固定部の下部に結合されて、内容物が収容され、内容物の消尽時、取替え可能に上記固定部に着脱されるパウチと；上記固定部の上端に結合されて、ポンピング作用を通じて、上記パウチに収容された内容物を外部に排出させ、上記紙管胴体から着脱されるポンピング部材と；上記紙管胴体の上端に結合される紙管キャップと；を含むことを特徴とする。
【０００８】
しかし、上記のような韓国公開特許は、固定部の固定のために、紙管胴体の内側に紙管を結合して係止段差を形成し、上記係止段差に安着されて固定されるように、固定部の外周面に突出部を形成するなど、その構造が複雑で、製造費用及び時間がたくさんかかるという問題点があった。
【０００９】
また、パウチが結合部の外周面に附着されて固定されるため、内容物を充填する際に、内容物の圧力によってパウチが結合部から脱離される問題点があった。
【発明の概要】
【発明が解決しようとする課題】
【００１０】
本発明は上述した問題点を解決するために案出されたもので、本発明の目的は、紙材質の胴体にポンピング部材が着脱可能になる結合され、ポンピング部材の下部にパウチの取替えが可能に結合部を形成することによって、簡単な構造を通じてパウチの固定及び取替えが可能になって、製造費用の節減及び製造時間を短縮させることができる内容物の詰めが替えが可能な紙管容器を提供することにある。
【００１１】
また、固定部の上端でパウチを加圧して固定させる加圧部が備えられることによって、内容物の充填時、内容物の圧力によってパウチが固定部から脱離されることを防止することができ、固定部と結合部のねじ結合の時に、回転による拗じれによってパウチが破損されることを防止することができる内容物の詰め替えが可能な紙管容器を提供することにある。
【課題を解決するための手段】
【００１２】
上記のような問題点を解決するために、本発明による内容物の詰め替えが可能な紙管容器は、内部に内容物が収容されるように空間が形成される紙材質の紙管胴体１００と；上記紙管胴体１００の上部を囲んで紙管胴体１００から着脱可能に上記紙管胴体１００の上端に安着される結合溝１１０が形成され、その下部には螺糸山２２１が形成された結合部２２０が備えられ、使用者の加圧によるポンピング作用を通じて内容物を外部に排出させるポンピング部材２００と；内容物が収容され、内容物の消尽時に取替え可能に上記結合部２２０に着脱されるパウチ部３００と；上記紙管胴体１００の上部で上記ポンピング部材２００を囲んで結合される紙材質の紙管キャップ４００と；を含むことを特徴とする。
【００１３】
また、上記パウチ部３００は、内容物が収容されるパウチ３１０と、上記パウチ３１０を支持するもので、中央部には内容物の充填が可能に開口部３２１が形成され、外周面には上記結合部２２０にねじ結合されるように螺糸山３２２が形成される固定部３２０と、上記固定部３２０の上端で上記開口部３２１に結合され、内容物の充填が可能に中空３３１が形成される加圧部３３０とを含むことを特徴とする。
【００１４】
また、上記パウチ３１０の上部は上記固定部３２０の上端に安着されて、上記加圧部３３０の加圧によって固定されることを特徴とする。
【００１５】
また、上記固定部３２０の上端には上記パウチ３１０が脱離されることを防止するように固定段差３２３が形成され、上記加圧部３３０には上記パウチ３１０を加圧して固定させる加圧突起３３２が形成されることを特徴とする。
【発明の効果】
【００１６】
以上、上述したように、本発明によれば紙材質の胴体にポンピング部材が着脱可能に結合され、ポンピング部材の下部にパウチの取替えが可能に結合部を形成することによって、簡単な構造を通じてパウチの固定及び取替えが可能になって、製造費用の節減及び製造時間を短縮させることができるという長所がある。
【００１７】
また、固定部の上端でパウチを加圧して固定させる加圧部が備えることによって、内容物を充填する際に、内容物の圧力によってパウチが固定部から脱離されることを防止することができ、固定部と結合部のねじ結合時に、回転による拗じれによってパウチが破損されることを防止することができるという長所がある。
【図面の簡単な説明】
【００１８】
【図１】本発明の好ましい実施例による内容物の詰め替えが可能な紙管容器の構成を示す分解断面図である。
【図２】本発明の好ましい実施例による内容物の詰め替えが可能な紙管容器の構成を示す結合断面図である。
【図３】本発明の好ましい実施例による内容物の詰め替えが可能な紙管容器の使用状態を示す説明図である。
【発明を実施するための形態】
【００１９】
以下、図面を参照して本発明を詳しく説明する。各図面に提示された同一の参照符号は同一の部材を示す。
【００２０】
図１は本発明の好ましい実施例による内容物の詰め替えが可能な紙管容器の構成を示す分解断面図であり、図２は本発明の好ましい実施例による内容物の詰め替えが可能な紙管容器の構成を示す結合断面図であり、図３は本発明の好ましい実施例による内容物の詰め替えが可能な紙管容器の使用状態を示す説明図である。
【００２１】
図１〜３を参照すれば、本発明の好ましい実施例による内容物の詰め替えが可能な紙管容器は、紙管胴体１００、ポンピング部材２００、パウチ部３００及び紙管キャップ５００を含む。
【００２２】
上記紙管胴体１００は、内部に内容物が収容されるように空間が形成されるもので、側面を形成する紙管部１１０と、上記紙管部１１０の下端部に加工されて下部を閉鎖させる支持部１２０とで構成される。
【００２３】
本発明において、上記紙管胴体１００は紙材質で構成されることが特徴であり、これにより、使用者の加圧によって後述するポンピング部材２００が嵌め込まれて、化粧品容器を製造する際に、容器の各部品の間の結合のための結合手段を製造するための作業を省略することができて、製造時間及び費用を減少させることができる。
【００２４】
また、上記紙管胴体１００は紙材質で構成されることによって、その外周面に文字、図形、記号を表示したり、多様な色の表現のための後加工処理が容易になり、不良率を減少させることができる。
【００２５】
また、上記紙管胴体１００は紙材質で構成されることによって、廃棄する時にごみの分別によりリサイクルが可能になり、環境破壊を減らすことができる。
【００２６】
上記ポンピング部材２００は、上記紙管胴体１００の上部を囲んで結合されて、ポンピング作用を通じて、後述するパウチ部３００に収容された内容物を外部に排出させるもので、上記紙管胴体１００の上端と当接する部分に紙管胴体１００との結合が可能に結合溝２１０が形成されることが好ましい。
【００２７】
本発明において、上記ポンピング部材２００は、上記紙管胴体１００から着脱されることが特徴であり、一般的に、化粧品容器のポンピング部材はポンピング部材を固定させる支持キャップのような固定部材を通じて堅固に固定されるが、本発明のポンピング部材２００は、使用者の必要によってパウチ部３００の取替えが可能になるようにするために、使用者の加圧によって紙管胴体１００から容易に脱離されるように構成されることが特徴である。
【００２８】
また、本発明において、上記ポンピング部材２００の下部には後述するパウチ部３００の固定部３２０とねじ結合が可能に螺糸山２２１が形成された結合部２２０が備えられることが特徴である。
【００２９】
上記ポンピング部材２００は、上記結合部２２０を通じてパウチ部３００の固定部３２０とねじ結合されることによって、使用者がポンピング部材２００を紙管胴体１００から脱離する時パウチ部３００とともに脱離され、これによって、結合部２２０と固定部３２０のねじ結合の解体を通じるパウチ部３００の取替えが可能になるように構成される。
【００３０】
また、パウチ部３００の取替えが完了されると、使用者がポンピング部材２００を把持した状態で、上記紙管胴体１００に結合する。この時、上記ポンピング部材２００が上記紙管胴体１００に徐徐に結合され、ポンピング部材２００の結合溝２１０が紙管胴体１００の上端に安着されて紙管胴体１００との結合が行われる。
【００３１】
上記ポンピング部材２００のポンピング作用のための各構成は本発明が属する技術分野において公知技術であるので、詳細な説明は省略する。
【００３２】
上記パウチ部３００は、内容物が収容され、内容物の消尽時に取替え可能に上記結合部２２０に着脱されるもので、内容物が収容されるパウチ３１０と、上記パウチ３１０を支持する  もので、中央部には内容物の充填及び排出が可能に開口部３２１が形成され、外周面には上記結合部２２０にねじ結合されるように螺糸山３２２が形成される固定部３２０と、上記固定部３２０の上端で上記開口部３２１に結合され、内容物の充填及び排出が可能に中空３３１が形成される加圧部３３０とで構成される。
【００３３】
本発明において、上記パウチ３１０の上部は、上記固定部３２０の内周面に密着された状態で位置するが、その端部が固定部３２０の上端に安着されて上記加圧部３３０の加圧によって固定されることが特徴であり、パウチ３１０の堅固な固定のために、上記固定部３２０の上端には上記パウチ３１０が脱離されることを防止するように固定段差３２３が形成され、上記加圧部３３０には上記パウチ３１０を加圧して固定させる加圧突起３３２が形成されることが好ましい。
【００３４】
上記パウチ３１０は、加圧部３３０の加圧によって上記固定部３２０に支持された状態で固定されるので、パウチ３１０に内容物を充填する際に、パウチ３１０が固定部３２０から脱離されることを防止することができる。
【００３５】
一方、上記加圧部３３０は、パウチ３１０の上部を加圧してパウチ３１０が外部に露出されないように位置することによって、パウチ部３００を結合部２２０にねじ結合する時に回転による拗じれによってパウチ３１０が破損されることを防止することができる。
【００３６】
上記紙管キャップ４００は、上記紙管胴体１００の上部に結合されるもので、上記ポンピング部材２００を囲んで結合されて、外部の衝撃からポンピング部材２００を保護することによって、ポンピング部材２００の誤作動を防止する。
【００３７】
本発明において、上記紙管キャップ４００は紙材質で構成されることが特徴であり、紙材質で構成されることによって、廃棄する時に、ごみの分別によるリサイクルが可能になって、環境破壊を減らすことができる。
【００３８】
以下では、図１〜３を参照して本発明の好ましい実施例による内容物の詰め替えが可能な紙管容器のパウチの取替え過程を説明する。
【００３９】
図１〜３を参照すれば、内容物が全部消尽された場合、使用者はポンピング部材２００を把持した状態で、上方向に持ち上げて紙管胴体１００からポンピング部材２００を脱離させる。この時、上記ポンピング部材２００の結合部２２０に結合されたパウチ部３００が一緒に脱離される。
【００４０】
上記のように、ポンピング部材２００の上方への移動を通じてパウチ部３００が紙管胴体１００から脱離されると、使用者はパウチ部３００の固定部３２０を一側に回転して上記結合部２２０からパウチ部３００を脱離させ、内容物が充填された新しいパウチ部３００を上記結合部２２０に結合してパウチ部３００を取り替える。
【００４１】
次に、パウチ部３００の取替えが完了されると、ポンピング部材２００を紙管胴体１００に結合する。ポンピング部材２００を紙管胴体１００の上部で下方へ加圧の時、ポンピング部材２００の結合溝２１０が上記紙管胴体１００に徐徐に結合され、紙管胴体１００の上端に安着されて、紙管胴体１００に嵌め込まれることによって固定される。この時、上記紙管胴体１００は紙材質で構成されるので、ポンピング部材２００との嵌め込みを通じる結合時に、紙材質による変形が発生しないように所定の厚さで形成されることが良い。
【００４２】
図面と明細書で最適実施例が開示された。ここで特定の用語が使用されたが、これは、単に本発明を説明するための目的で使用されただけで、意味の限定や特許請求の範囲に記載された本発明の範囲を制限するために使用されたものではない。従って、本技術分野の通常の知識を持った者であれば、これから多様な変形及び均等な他の実施例が可能であるという点を理解できるであろう。従って、本発明の真の技術的保護範囲は、添付の特許請求の範囲の技術的思想によって定められるべきである。
【図１】
2014523378.tif 000003
【図２】
2014523378.tif 000004
【図３】
2014523378.tif 000005
【国際調査報告】
2014523378.tif 000006
2014523378.tif 000007
2014523378.tif 000008
2014523378.tif 000009